(57)【要約】  本発明は、廃水焼却方法に関し、前記の課題を解決するための本発明の一実施形態によると、本発明は、廃水を蒸発器に供給し、蒸発させるステップ（Ｓ１０）と、前記蒸発器から排出される蒸発器の上部排出ストリームを焼却炉に供給し、焼却するステップ（Ｓ２０）と、前記焼却炉から排出される第１焼却炉排出ストリームと第２焼却炉排出ストリームを混合し、混合排出ストリームを形成するステップ（Ｓ３０）と、前記混合排出ストリームと空気ストリームを第１熱交換器で熱交換させるステップ（Ｓ４０）とを含み、前記第１熱交換器を通過した混合排出ストリームは、第２熱交換器で熱交換された後、大気中に排出される廃水焼却方法およびこれを実施するための廃水焼却装置を提供する。
2021528619.tif 000002
【特許請求の範囲】
【請求項１】
廃水を蒸発器に供給し、蒸発させるステップ（Ｓ１０）と、
前記蒸発器から排出される蒸発器の上部排出ストリームを焼却炉に供給し、焼却するステップ（Ｓ２０）と、
前記焼却炉から排出される第１焼却炉排出ストリームと第２焼却炉排出ストリームを混合し、混合排出ストリームを形成するステップ（Ｓ３０）と、
前記混合排出ストリームと空気ストリームを第１熱交換器で熱交換させるステップ（Ｓ４０）とを含み、
前記第１熱交換器を通過した混合排出ストリームは、第２熱交換器で熱交換された後、大気中に排出される、廃水焼却方法。
【請求項２】
前記廃水は、前記第１熱交換器を通過した混合排出ストリームと、前記第２熱交換器で熱交換される、請求項１に記載の廃水焼却方法。
【請求項３】
前記第２熱交換器で熱交換された廃水は、前記蒸発器に供給される、請求項２に記載の廃水焼却方法。
【請求項４】
前記第２熱交換器を通過した廃水の温度は、前記第２熱交換器を通過する前の廃水の温度よりも高い、請求項２に記載の廃水焼却方法。
【請求項５】
前記第２熱交換器を通過した廃水の温度は、５０℃〜１３０℃である、請求項２に記載の廃水焼却方法。
【請求項６】
前記第１焼却炉排出ストリームの温度は、前記第２焼却炉排出ストリームの温度よりも高い、請求項１に記載の廃水焼却方法。
【請求項７】
前記第１焼却炉排出ストリームは、第３熱交換器を通過した後、前記第２焼却炉排出ストリームと混合されて前記混合排出ストリームを形成する、請求項１に記載の廃水焼却方法。
【請求項８】
前記大気中に排出されるストリームの温度は、１２５℃以下である、請求項１に記載の廃水焼却方法。
【請求項９】
供給される廃水を蒸発させ、蒸発された上部排出ストリームを焼却炉に供給する蒸発器と、
前記蒸発器から上部排出ストリームが供給され、前記蒸発器の上部排出ストリームを焼却し、第１焼却炉排出ストリームおよび第２焼却炉排出ストリームを第３混合器に供給する焼却炉と、
前記焼却炉から第１焼却炉排出ストリームおよび第２焼却炉排出ストリームが供給され、前記第１焼却炉排出ストリームと第２焼却炉排出ストリームを混合した混合排出ストリームを第１熱交換器に供給する第３混合器と、
前記第３混合器から供給された混合排出ストリームと、供給された空気ストリームを熱交換する第１熱交換器と、
前記供給される第１熱交換器を通過した混合排出ストリームを熱交換し、熱交換した前記混合排出ストリームを大気中に排出する第２熱交換器とを含む、廃水焼却装置。
【請求項１０】
前記第２熱交換器では、廃水と第１熱交換器を通過した混合排出ストリームが熱交換される、請求項９に記載の廃水焼却装置。
【請求項１１】
前記焼却炉から排出された第１焼却炉排出ストリームを熱交換し、熱交換した第１焼却炉排出ストリームを第３混合器に供給する第３熱交換器をさらに含む、請求項９に記載の廃水焼却装置。
【請求項１２】
前記焼却炉は、蓄熱式焼却炉（Ｒｅｇｅｎｅｒａｔｉｏｎ  Ｔｈｅｒｍａｌ  Ｏｘｉｄｉｚｅｒ）である、請求項９に記載の廃水焼却装置。
【発明の詳細な説明】
【技術分野】
【０００１】
本出願は、２０１９年０５月２８日付けの韓国特許出願第１０‐２０１９‐００６２７３３号に基づく優先権の利益を主張し、該当韓国特許出願の文献に開示されている全ての内容は、本明細書の一部として組み込まれる。
【０００２】
本発明は、廃水焼却方法および廃水焼却装置に関し、より詳細には、廃水の焼却時に発生する廃熱をリサイクルする省エネルギー型廃水焼却方法および廃水焼却装置に関する。
【背景技術】
【０００３】
炭化水素化合物の総称である揮発性有機化合物は、化学工場、廃水処理場、自動車工場などの塗装作業の際に発生し、悪臭がひどい物質であって、オゾンなどの光化学スモッグ原因物質であるだけでなく、発癌性を有する有害物質であり、地球温暖化と成層圏オゾン層破壊の原因物質として、環境および健康に悪い影響を及ぼすなど、様々な形態で大気に影響を与える。したがって、前記揮発性有機化合物を含んでいる廃水は、そのまま外部に排出される場合、深刻な環境汚染をもたらすため、先ず、廃水内の汚染物質を処理した後に排出しなければならない。
【０００４】
現在知られている廃水内の揮発性有機化合物の処理技術としては、焼却法、吸着法、吸収法、冷却凝縮法、生物学的処理および分離膜技術などが挙げられ、このうち、蓄熱式焼却炉が多く用いられている。
【０００５】
蓄熱式焼却炉（Ｒｅｇｅｎｅｒａｔｉｏｎ  Ｔｈｅｒｍａｌ  Ｏｘｉｄｉｚｅｒ、ＲＴＯ）とは、既存の直火式間接熱交換熱焼却方式（一般焼却炉方式）の代わりに、揮発性有機化合物を含有する廃ガスを焼却した後、焼却する時に発生する熱を、表面積が広く半永久的に使用可能なセラミック（Ｃｅｒａｍｉｃ）充填材により回収することで、焼却炉のランニングコストを著しく低減することができる設備であって、焼却炉の運転にかかるコストが少なく、設置面積を最小化することができる。また、蓄熱式焼却炉の処理効率は、９９％以上と非常に高く、２次汚染要因が少ないという利点がある。
【０００６】
しかし、上記蓄熱式焼却炉を用いて、揮発性有機化合物を含む廃水を焼却する際、焼却炉（Ｆｕｒｎａｃｅ）に廃水を直接噴射するため、焼却炉に過剰な熱量（エネルギー）が供給されなければならないだけでなく、熱回収設計が高度化していないため、大気に排出されるストリームの温度が相当高温であり、エネルギーの無駄使いが増加するという問題がある。
【０００７】
したがって、かかる従来の問題を解決するために、廃水焼却の際、エネルギーを節約するための設計が必要である。
【発明の概要】
【発明が解決しようとする課題】
【０００８】
本発明が解決しようとする課題は、上記発明の背景となる技術で言及した問題を解決するために、省エネルギー型廃水焼却方法および装置を提供することである。
【０００９】
すなわち、本発明は、廃水焼却の際に発生する廃熱を熱交換によりリサイクルすることで、廃水の焼却に必要なエネルギーを節約し、大気に排出されるストリームの温度を下げるための廃水焼却方法および装置を提供することを目的とする。
【課題を解決するための手段】
【００１０】
上記の課題を解決するための本発明の一実施形態によると、本発明は、廃水を蒸発器に供給し、蒸発させるステップ（Ｓ１０）と、前記蒸発器から排出される蒸発器の上部排出ストリームを焼却炉に供給し、焼却するステップ（Ｓ２０）と、前記焼却炉から排出される第１焼却炉排出ストリームと第２焼却炉排出ストリームを混合し、混合排出ストリームを形成するステップ（Ｓ３０）と、前記混合排出ストリームと空気ストリームを第１熱交換器で熱交換させるステップ（Ｓ４０）とを含み、前記第１熱交換器を通過した混合排出ストリームは、第２熱交換器で熱交換された後、大気中に排出される廃水焼却方法を提供する。
【００１１】
また、本発明は、供給される廃水を蒸発させ、蒸発された上部排出ストリームを焼却炉に供給する蒸発器と、前記蒸発器から上部排出ストリームが供給され、前記蒸発器の上部排出ストリームを焼却し、第１焼却炉排出ストリームおよび第２焼却炉排出ストリームを第３混合器に供給する焼却炉と、前記焼却炉から第１焼却炉排出ストリームおよび第２焼却炉排出ストリームが供給され、前記第１焼却炉排出ストリームと第２焼却炉排出ストリームを混合した混合排出ストリームを第１熱交換器に供給する第３混合器と、前記第３混合器から供給された混合排出ストリームと、供給された空気ストリームを熱交換する第１熱交換器と、供給される前記第１熱交換器を通過した混合排出ストリームを熱交換し、熱交換した前記混合排出ストリームを大気中に排出する第２熱交換器とを含む廃水焼却装置を提供する。
【発明の効果】
【００１２】
また、本発明の廃水焼却方法および廃水焼却装置によると、廃水焼却の際に発生する廃熱を回収し、熱交換により蒸発器に供給されるストリームを加熱することで、蒸発器で廃水の加熱のために必要な燃料の使用を減少させることができる。
【００１３】
また、本発明の廃水焼却方法および廃水焼却装置によると、廃水焼却の際に発生する廃熱を回収し、熱交換によりリサイクルすることで、大気に排出されるストリームの温度を下げる効果も得ることができる。
【図面の簡単な説明】
【００１４】
【図１】本発明の一実施形態による廃水焼却方法による工程フローチャートである。
【図２】本発明の一実施形態による廃水焼却方法による工程フローチャートである。
【図３】比較例による廃水焼却方法による工程フローチャートである。
【発明を実施するための形態】
【００１５】
本発明の説明および請求の範囲で使用されている用語や単語は、通常的または辞書的な意味に限定して解釈してはならず、発明者らは、自分の発明を最善の方法で説明するために用語の概念を適切に定義することができるという原則に則って、本発明の技術的思想に合致する意味と概念に解釈すべきである。
【００１６】
本発明において、「ストリーム（ｓｔｒｅａｍ）」という用語は、工程内の流体（ｆｌｕｉｄ）の流れを意味し得、また、配管内で流れる流体自体を意味し得る。具体的には、前記「ストリーム」という用語は、各装置を連結する配管内で流れる流体自体および流体の流れを同時に意味し得る。また、前記流体は、気体（ｇａｓ）または液体（ｌｉｑｕｉｄ）を意味し得る。
【００１７】
以下、本発明に関する理解を容易にするために、本発明をより詳細に説明する
【００１８】
本発明によると、廃水焼却方法が提供される。前記廃水焼却方法であって、廃水を蒸発器に供給し、蒸発させるステップ（Ｓ１０）と、前記蒸発器から排出される蒸発器の上部排出ストリームを焼却炉に供給し、焼却するステップ（Ｓ２０）と、前記焼却炉から排出される第１焼却炉排出ストリームと第２焼却炉排出ストリームを混合し、混合排出ストリームを形成するステップ（Ｓ３０）と、前記混合排出ストリームと空気ストリームを第１熱交換器で熱交換させるステップ（Ｓ４０）とを含み、前記第１熱交換器を通過した混合排出ストリームは、第２熱交換器で熱交換された後、大気中に排出される廃水焼却方法を提供することができる。
【００１９】
本発明の一実施形態によると、前記廃水とは、消費生活と産業活動をする現代社会にて物質的文明活動の副産物として各種の廃棄物が排出され続けるが、その中で、液体形態で排出されるものなどを意味し得る。具体的には、廃水は、出処に応じて大別され、家庭廃水と工場廃水などに分けられる。家庭廃水は、各家庭および家庭と同様に廃物質を排出する公共建物および営業建物などから排出される廃水を意味し得、工場廃水は、各工場から排出される廃水を意味し、広義的には産業廃水と言え、すべての産業施設から排出される廃水の総称であり得る。
【００２０】
本発明の一実施形態によると、前記廃水は、工業の生産工程で使用される様々な化学物質を含有している液状の工場廃水であり得る。例えば、前記廃水は、水、メタノール、ブタノール、ネオペンチルグリコール、塩化ナトリウムおよびブチルアルデヒド、オクタノール、トリメチルアミンなどを含む有機物からなるものであってもよい。
【００２１】
本発明の一実施形態によると、前記廃水を蒸発器に供給し、蒸発させるステップ（Ｓ１０）は、例えば、前記蒸発器に廃水を供給し、加熱して廃水を蒸発させ、且つ水蒸気、有機物および可塑性物質などを含む上部排出ストリームと、スラッジを含む下部排出ストリームとにそれぞれ分離することができる。この際、下部排出ストリームは、すぐ廃水処理場に移動させることができる。
【００２２】
本発明の一実施形態によると、前記廃水を蒸発器に供給し、蒸発させるステップ（Ｓ１０）は、複数回行われて、上部排出ストリームと下部排出ストリームをより効果的に分離することができる。例えば、第１蒸発器１００に廃水を供給し、加熱して廃水を蒸発させる第１蒸発器１００の上部排出ストリームと、第１蒸発器１００の下部排出ストリームとにそれぞれ分離することができる。次に、前記第１蒸発器１００の下部排出ストリームを第２蒸発器１１０を用いて２次蒸発させ、第２蒸発器１１０の上部排出ストリームと、第２蒸発器１１０の下部排出ストリームとに分離することができる。この際、前記第２蒸発器１１０の上部排出ストリームは、前記第１蒸発器１００の上部排出ストリームと第１混合器２００で混合され排出され得、第２蒸発器１１０の下部排出ストリームは、廃水処理場に移動させることができる。
【００２３】
本発明の一実施形態によると、前記蒸発器から排出される蒸発器の上部排出ストリームを焼却炉３００に供給し、焼却するステップ（Ｓ２０）は、蓄熱式焼却炉（Ｒｅｇｅｎｅｒａｔｉｏｎ  Ｔｈｅｒｍａｌ  Ｏｘｉｄｉｚｅｒ、ＲＴＯ）により行われ得、前記蒸発器の上部排出ストリームを焼却炉３００に供給し、予熱ステップおよび焼却ステップを経ることができる。この際、前記蒸発器の上部排出ストリームは、前記第１蒸発器１００の上部排出ストリームおよび第２蒸発器１１０の上部排出ストリームが、第１混合器２００で混合され排出されるストリームであってもよい。
【００２４】
本発明の一実施形態によると、前記蒸発器の上部排出ストリームは、蒸発過程で、温度が１００℃以上に増加していてもよい。この場合、前記１００℃以上の温度を有する蒸発器の上部排出ストリームは、焼却炉３００に供給され、それ自体で燃料として活用され得る。
【００２５】
前記蒸発器の上部排出ストリームは、先ず、蓄熱層で蓄熱されたセラミック媒体と直接接触し、予熱されながら焼却炉３００に入ることができる。この際、予熱温度は、蓄熱式焼却炉３００の蓄熱効率設計に応じて異なり得るが、自体燃消しながら発生する燃焼熱と合わせられて、ほぼ焼却炉３００温度である８００℃以上の温度まで予熱され得る。前記予熱されたストリームは、焼却炉３００で完全焼却処理された後、他の蓄熱層へ通過しながらセラミック媒体に熱を与えてセラミック媒体を加熱し、焼却炉３００排出ストリームは、一部冷却され得る。
【００２６】
本発明の一実施形態によると、前記焼却炉３００から排出される第１焼却炉排出ストリームと第２焼却炉排出ストリームの混合排出ストリームは、Ｓ４０ステップにおいて空気ストリームと熱交換され得る。具体的には、前記混合排出ストリームは、第１熱交換器４００に供給され、前記第１熱交換器４００に供給される空気ストリームに熱を伝達することができる。
【００２７】
前記第１熱交換器４００を通過した空気ストリームは、蒸発器の上部排出ストリームと混合され、焼却炉３００に供給され得る。具体的には、前記第１熱交換器４００で熱交換された空気ストリームは、蒸発器の上部排出ストリームと第２混合器２１０で混合され、焼却炉３００に供給され得る。また、前記第１熱交換器４００を通過した混合排出ストリームは、第２熱交換器４１０に供給され、熱交換された後、大気中に排出され得る。
【００２８】
また、本発明の一実施形態によると、前記廃水は、前記第１熱交換器４００を通過した混合排出ストリームと、前記第２熱交換器４１０で熱交換された後、蒸発器に供給され得る。前記第１熱交換器４００および第２熱交換器４１０での熱交換は、互いに異なる二つのストリームの向流（ｃｏｕｎｔｅｒ‐ｃｕｒｒｅｎｔ  ｆｌｏｗ）、並流（ｃｏ‐ｃｕｒｒｅｎｔ  ｆｌｏｗ）、または直交流（ｃｒｏｓｓ  ｆｌｏｗ）によって互いに熱交換が実施され得る。例えば、前記第１熱交換器４００では、前記混合排出ストリームは、空気ストリームに熱を伝達しながら第２熱交換器４１０に供給され、前記第２熱交換器４１０で廃水に熱を伝達した後、大気に排出され得、これにより、廃水焼却工程において熱を効果的にリサイクルすることができ、大気に排出されるストリームの温度を下げることができる。
【００２９】
また、前記空気ストリームは、混合排出ストリームから熱を得て温度が上昇し、これは、焼却炉３００に供給されて、焼却炉で必要なエネルギーの一部の代わりに使用することができる。また、前記廃水は、第１熱交換器４００を通過した混合排出ストリームから熱を得て、充分に加熱された状態で蒸発器に供給され得、蒸発器で廃水を加熱するために要するエネルギーを節約することができる。
【００３０】
本発明の一実施形態によると、前記第２熱交換器４１０を通過した廃水の温度は、前記第２熱交換器４１０を通過する前の廃水の温度よりも高くてもよい。具体的には、上述のように、前記廃水は、前記第１熱交換器４００を通過した混合排出ストリームと、第２熱交換器４１０で熱交換を行う。この際、前記廃水は、前記第１熱交換器４００を通過した混合排出ストリームから熱の提供を受けることで、第２熱交換器４１０を通過しながら温度が上昇する。例えば、前記第２熱交換器４１０を通過した廃水の温度は、５０℃〜１３０℃、５５℃〜１２０℃または６０℃〜１１０℃であってもよい。これは、前記第２熱交換器４１０を通過する前の廃水の温度である２０℃〜４０℃に比べ、著しく高くなったことが分かる。
【００３１】
また、本発明の一実施形態によると、前記第１焼却炉排出ストリームの温度は、前記第２焼却炉排出ストリームの温度よりも高くてもよい。例えば、前記第１焼却炉排出ストリームの温度は、４００℃〜５００℃、４２０℃〜４８０℃または４４０℃〜４６０℃であってもよく、前記第２焼却炉排出ストリームの温度は、１００℃〜２５０℃、１３０℃〜２２０℃または１７０℃〜１９０℃であってもよい。このように、焼却炉３００から排出されるストリームを比較的高温の第１焼却炉排出ストリームと低温の第２焼却炉排出ストリームとに分けてエネルギーをリサイクルすることで、より効果的にエネルギーを節約することができる。
【００３２】
また、本発明の一実施形態によると、前記焼却炉３００から排出される第１焼却炉排出ストリームは、蒸気発生装置５００を通過したストリームであってもよい。具体的には、前記焼却炉３００から排出される第１焼却炉排出ストリームは、焼却炉３００から排出されたときには、８００℃〜１，０００℃の高温で排出され得、この際、前記高温の第１焼却炉排出ストリームは、蒸気発生装置５００を通過しながら４００℃〜５００℃に温度が低くなり、この過程で、熱エネルギーをスチームの形成にリサイクルすることができる。このように、第１焼却炉排出ストリームが蒸気発生装置５００を通過しながら、第１焼却炉排出ストリームの廃熱から形成されたスチームは、貯蔵可能であり、様々な工程で熱源として使用できるという利点がある。
【００３３】
また、本発明の一実施形態によると、前記第１焼却炉排出ストリームは、前記第１熱交換器４００を通過した空気ストリームと、前記第３熱交換器４２０で熱交換され得る。前記第１焼却炉排出ストリームと第１熱交換器４００を通過した空気ストリームは、第３熱交換器４２０で互いに向流（ｃｏｕｎｔｅｒ‐ｃｕｒｒｅｎｔ  ｆｌｏｗ）、並流（ｃｏ‐ｃｕｒｒｅｎｔ  ｆｌｏｗ）、または直交流（ｃｒｏｓｓ  ｆｌｏｗ）によって互いに熱交換が実施され得る。具体的には、前記第１焼却炉排出ストリームは、第１熱交換器４００を通過した空気ストリームと、第３熱交換器４２０で熱交換されることで、空気ストリームに熱を提供して、廃水焼却の熱源としてリサイクルすることができる。これと同時に、第３熱交換器４２０で熱交換された前記第１焼却炉排出ストリームは、低くなった温度で第２焼却炉排出ストリームと混合されて混合排出ストリームを形成することができ、前記混合排出ストリームは、空気ストリームと、第１熱交換器４００で熱交換されることで、より低い温度で大気に排出され得る。
【００３４】
また、本発明の一実施形態によると、前記第３熱交換器４２０を通過した第１焼却炉排出ストリームの温度は、前記第３熱交換器４２０を通過する前の第１焼却炉排出ストリームの温度よりも低くてもよい。具体的には、上述のように、前記第１焼却炉排出ストリームは、第３熱交換器４２０で第１熱交換器４００を通過した空気ストリームと熱交換を行う。この際、前記第１焼却炉排出ストリームは、空気ストリームに熱を提供することで、第３熱交換器４２０を通過した後の温度は低くなる。例えば、前記第３熱交換器４２０を通過した第１焼却炉排出ストリームの温度は、２５０℃〜３５０℃、２７０℃〜３３０℃または２８０℃〜３００℃であってもよい。これは、前記第１焼却炉排出ストリームの第３熱交換器４２０を通過する前の温度である４００℃〜５００℃に比べ、低くなったことが分かる。
【００３５】
また、本発明の一実施形態によると、前記第１熱交換器４００を通過した空気ストリームは、第３熱交換器４２０を通過して焼却炉３００に供給され得、前記第３熱交換器４２０を通過した空気ストリームの温度は、第３熱交換器４２０を通過する前よりも高くてもよい。具体的には、前記第３熱交換器４２０を通過する前の空気ストリームの温度は、１８０℃〜２３０℃、１９０℃〜２２０℃または２００℃〜２１０℃であってもよい。また、第３熱交換器４２０を通過した後の空気ストリームの温度は、２５０℃〜３５０℃、２６０℃〜３２０℃または２７０℃〜３００℃であってもよい。具体的には、前記空気ストリームの場合、焼却炉３００から排出されるストリームから第１熱交換器４００および第３熱交換器４２０を介して熱交換を行って熱を得ることで、高温の状態で焼却炉３００に供給され得る。この場合、空気が常温で焼却炉３００に供給される場合と比較して、焼却炉３００で空気を加熱するために要するエネルギーを節約することができる。
【００３６】
また、本発明の一実施形態によると、前記第１熱交換器４００を通過した混合排出ストリームは、第２熱交換器４１０で廃水と熱交換した後に大気中に排出され、前記大気中に排出されるストリームの温度は、１２５℃以下であってもよい。例えば、前記廃水焼却工程で大気に排出されるストリームの温度は、５０℃〜１２０℃、６０℃〜１１０℃または６５℃〜１１０℃であってもよい。これは、既存の蓄熱式焼却炉を用いた廃水焼却の際、大気に排出されるストリームの温度に比べ、著しく低い温度である。これにより、本発明による廃水焼却方法では、既存の廃水焼却工程で大気に高温のストリームを排出する場合、白い煙（白煙）が発生する問題を解決し、多量の熱を廃水焼却工程内でリサイクルし、これにより多量のエネルギーを節約したことが分かる。具体的には、本発明による廃水焼却方法は、前記高温の第１焼却炉排出ストリームが有している熱をスチーム発生装置５００でスチームを形成するのに１次的にリサイクルし、前記第１熱交換器４００で空気ストリームと熱交換することで２次的にリサイクルし、前記第２熱交換器４１０で廃水と熱交換することで３次的にリサイクルすることで、エネルギーを効果的に節約した。
【００３７】
また、本発明の一実施形態によると、前記廃水を蒸発器に供給し、蒸発させるステップ（Ｓ１０）において、必要な場合、廃水の加熱のために必要なエネルギーを得るために燃料が投入され得る。例えば、廃水を蒸発器に供給し、蒸発させるステップで必要な熱量（エネルギー）は、５．０Ｇｃａｌ／ｈｒ以下であってもよく、例えば、前記蒸発器で要する熱量は、０Ｇｃａｌ／ｈｒ〜５．０Ｇｃａｌ／ｈｒ、２Ｇｃａｌ／ｈｒ〜５．０Ｇｃａｌ／ｈｒまたは４Ｇｃａｌ／ｈｒ〜４．８Ｇｃａｌ／ｈｒであってもよい。
【００３８】
また、本発明の一実施形態によると、前記焼却炉３００から排出される第２焼却炉排出ストリームの一部は、焼却炉３００に還流し、焼却炉３００の予熱および加熱にリサイクルすることができる。
【００３９】
また、本発明の一実施形態によると、前記焼却炉３００で廃水の焼却をより容易に行うために、空気をさらに供給してもよい。
【００４０】
また、本発明の一実施形態によると、前記蒸発器の下部排出ストリームは、廃水処理場に移動し、前記廃水処理場で発生するガス（ｏｆｆ  ｇａｓ）を焼却炉３００に供給することができる。これにより、本発明による廃水焼却方法は、廃水の焼却だけでなく、廃水処理場で発生するガスの焼却を同時に行うことができる。
【００４１】
本発明によると、廃水処理装置が提供される。前記廃水処理装置は、供給される廃水を蒸発させ、蒸発した上部排出ストリームを焼却炉に供給する蒸発器と、前記蒸発器から上部排出ストリームが供給され、前記蒸発器の上部排出ストリームを焼却し、第１焼却炉排出ストリームおよび第２焼却炉排出ストリームを第３混合器に供給する焼却炉と、前記焼却炉から第１焼却炉排出ストリームおよび第２焼却炉排出ストリームが供給され、前記第１焼却炉排出ストリームと第２焼却炉排出ストリームを混合した混合排出ストリームを第１熱交換器に供給する第３混合器と、前記第３混合器から供給された混合排出ストリームと、供給された空気ストリームを熱交換する第１熱交換器と、供給される前記第１熱交換器を通過した混合排出ストリームを熱交換し、熱交換した前記混合排出ストリームを大気中に排出する第２熱交換器とを含むことができる。
【００４２】
本発明の一実施形態によると、前記焼却炉３００から排出された第１焼却炉排出ストリームを熱交換し、熱交換した第１焼却炉排出ストリームを第３混合器２２０に供給する第３熱交換器４２０をさらに含んでもよい。
【００４３】
本発明の一実施形態によると、前記本発明による廃水焼却装置は、上記の廃水焼却方法による工程を実施するための装置であってもよい。
【００４４】
本発明の一実施形態によると、前記本発明による廃水処理装置は、下記図１〜図２を参照して説明することができる。例えば、前記廃水処理装置は、供給される廃水を１次に蒸発させて、水蒸気、有機物および可塑性物質などを含む第１上部排出ストリームと、スラッジを含む第１下部排出ストリームとに分離する第１蒸発器１００を含むことができる。また、前記第１蒸発器１００から排出された第２排出ストリームは、第２蒸発器１１０を用いて２次に蒸発させて、第２上部排出ストリームと、第２下部排出ストリームとに分離することができる。この際、第２下部ストリームは、廃水処理場に移動し、第２上部ストリームは、第１上部ストリームと、第１混合器２００で混合され排出され得る。
【００４５】
前記第１混合器２００から排出されたストリームは、第２混合器２１０に供給され、前記第２混合器２１０で、廃水処理場で発生したガス（ｏｆｆ  ｇａｓ）および空気（Ｆｒｅｓｈ  Ａｉｒ）ストリームとともに混合され得る。この際、前記空気ストリームは、第１熱交換器４００、または第１熱交換器４００および第３熱交換器４２０を通過しながら熱交換されていてもよく、前記廃水は、第１蒸発器１００に供給される前に、第２熱交換器４１０を介して熱交換されていてもよい。例えば、前記廃水は、第２熱交換器４１０で第１熱交換器４００を通過した混合排出ストリームと熱交換されていてもよい。
【００４６】
前記第２混合器２１０から排出される混合ストリームは、焼却炉３００に移動することができる。前記焼却炉３００には、選択的に、別の燃料もしくは空気の投入が可能である。
【００４７】
前記焼却炉３００では、第２混合器２１０から排出される混合ストリームを焼却し、第１焼却炉排出ストリームおよび第２焼却炉排出ストリームへ、温度によって分離して排出することができる。前記第１焼却炉排出ストリームと第２焼却炉排出ストリームは、第３混合器２２０で混合され得る。この際、前記第１焼却炉排出ストリームは、第３熱交換器４２０で熱交換された後、前記第２焼却炉排出ストリームと、第３混合器２２０で混合され得る。
【００４８】
前記第１焼却炉排出ストリームは、第３混合器２２０に供給される前に、蒸気発生装置５００を通過しながらスチームを形成した後、第３混合器２２０に供給され得る。前記第３混合器２２０で混合された混合ストリームは、第１熱交換器４００に供給され、前記第１熱交換器４００で空気（Ｆｒｅｓｈ  Ａｉｒ）ストリームと熱交換を経た後、第２熱交換器４１０に供給され得、前記第２熱交換器４１０で熱交換された混合ストリームは、大気に放出され得る。
【００４９】
前記第１熱交換器４００、または第１熱交換器４００および第３熱交換器４２０で熱交換された空気ストリームは、焼却炉３００に供給され得る。例えば、前記熱交換された空気ストリームは、前記第２混合器２１０に供給され、第１混合器２００から排出される蒸発器の上部排出ストリームおよび廃水処理場から排出されるガスと混合した後、焼却炉３００に供給され得る。
【００５０】
以上、本発明による廃水焼却方法および装置について記載および図面に図示しているが、前記の記載および図面の図示は、本発明を理解するための核心的な構成のみを記載および図示したものであって、前記記載および図面に図示した工程および装置の他に、別に記載および図示していない工程および装置は、本発明による廃水焼却方法および装置を実施するために適宜応用され用いられ得る。
【実施例】
【００５１】
以下、実施例によって本発明をより詳細に説明する。しかし、下記の実施例は、本発明を例示するためのものであって、本発明の範疇および技術思想の範囲内で様々な変更および修正が可能であることは、通常の技術者にとって明白なことであり、これらにのみ本発明の範囲が限定されるものではない。
【００５２】
（実施例１）
図１に図示されている工程フローチャートに対して、ＡＳＰＥＮＴＥＣＨ社製のＡＳＰＥＮ  Ｐｌｕｓシミューレータを用いて、工程をシミュレーションした。
【００５３】
この際、第１蒸発器に供給される廃水の温度は３０℃と、圧力は０．２ｋｇ／ｓｑｃｍｇと、質量流量は１０，０００ｋｇ／ｈｒと設定し、廃水の成分は、８７．５７重量比の水と４．９０重量比のメタノール、２．３３重量比のブタノール、１．６５重量比のネオペンチルグリコール（ＮＰＧ）、２．９１重量比の塩化ナトリウム、その他の数量のブチルアルデヒド、オクタノール、トリメチルアミンなどが含まれている。
【００５４】
また、焼却炉に供給される空気ストリームは２０℃に設定し、組成は、２１モル質量比の酸素と７９モル質量比の窒素に設定し、廃水の成分は、水８７．５７重量％、メタノール４．９０重量％、ブタノール２．３３％、ネオペンチルグリコール（ＮＰＧ）１．６５重量％、塩化ナトリウム２．９１重量％およびブチルアルデヒド、オクタノール、トリメチルアミンなどを含む有機物０．６４重量％からなっている。
【００５５】
また、焼却炉に供給される空気ストリームは２０℃に設定し、組成は、酸素２１モル％および窒素７９モル％に設定した。
【００５６】
（実施例２）
図２に図示されている工程フローチャートに対して、ＡＳＰＥＮＴＥＣＨ社製のＡＳＰＥＮ  Ｐｌｕｓシミューレータを用いて、工程をシミュレーションした以外は、実施例１と同一の方法で実施した。
【００５７】
（比較例）
図３に図示されている工程フローチャートに対して、ＡＳＰＥＮＴＥＣＨ社製のＡＳＰＥＮ  Ｐｌｕｓシミューレータを用いて、工程をシミュレーションした以外は、実施例１と同一の方法で実施した。図３は、本願による廃水焼却工程において、第２熱交換器もしくは第３熱交換器を除去した場合の工程フローチャートである。
【００５８】
（実験例）
前記実施例１〜２および比較例による工程シミュレーションの結果、工程の流れによるそれぞれのストリームに対する温度を下記表１に示し、第１蒸発器１００の消費熱量を下記表２に示した。
【００５９】
【表１】
2021528619.tif 000003
【００６０】
【表２】
2021528619.tif 000004
【００６１】
先ず、前記表１を参照して、実施例１および２による廃水焼却工程の流れと比較例による廃水焼却工程の流れとを比較すると、第２熱交換器４１０もしくは第３熱交換器４２０を設置することで、大気に放出されるストリームの温度、第１蒸発器１００に供給されるストリームの温度に大きい差を示すことを確認することができる。
【００６２】
具体的には、実施例１および２の廃水焼却工程で、第２熱交換器４１０を設置することで、第１熱交換器４００で熱交換された混合ストリームをすぐ大気に放出するのではなく、前記熱交換された混合ストリームを第２熱交換器４１０に供給し、廃水ともう一度熱交換させた後、大気に放出する。一方、第２熱交換器４１０を設置していない比較例の廃水焼却工程の場合には、第１熱交換器４００で熱交換された混合ストリームがすぐ大気に放出される。したがって、実施例１〜実施例２および比較例の廃水焼却工程で大気に排出されるストリームの温度は、それぞれ１０５．０℃、６９．２℃および１５５．０℃と、実施例１および２の場合、比較例の大気排出温度と比較して著しく低いことが分かる。特に、第２熱交換器４１０とともに第３熱交換器４２０が設置された実施例２の場合、工程内で熱をより効果的に再使用し、大気排出ストリームの温度がより低いことが分かる。つまり、実施例１および２では、第２熱交換器４１０もしくは第３熱交換器４２０を設置することで、５０℃〜８５．８℃に対応する熱をリサイクルして廃水を予熱することで、蒸発器で廃水を加熱するために要する熱量を節約できるということが分かる。
【００６３】
また、廃水は、第１蒸発器１００に供給されるが、前記実施例１および２の廃水焼却工程では、前記廃水を第２熱交換器４１０で予熱した後に第１蒸発器１００に供給する。一方、第２熱交換器４１０を設置していない比較例の場合には、廃水をすぐ第１蒸発器１００に供給する。具体的には、比較例の場合、３０．０℃の廃水をすぐ第１蒸発器１００に供給するが、実施例１および実施例２の場合には、廃水を第２熱交換器４１０で第１熱交換器４００を通過した混合ストリームと熱交換させた後に第１蒸発器１００に供給する。この際、実施例１および実施例２の前記第２熱交換器４１０で熱交換された廃水の温度は、それぞれ１００．０℃および６４．２℃と、比較例と比較して著しく高い温度であることが分かる。
【００６４】
また、第３熱交換器４２０が設置された実施例２の場合、空気ストリームが、第１熱交換器４００で第３混合器２２０から供給されるストリームと熱交換され、前記第１熱交換器４００で熱交換された空気ストリームは、第３熱交換器４２０で第１焼却炉排出ストリームとまた熱交換される。このように、第１熱交換器４００および第３熱交換器４２０を通過しながら熱を得た空気ストリームは、焼却炉３００にまた供給されるが、この場合、空気ストリームの温度は、２４０．３℃と、比較例の１７１．７℃と比較して著しい温度差を示し、前記温度の差だけ焼却炉３００で廃水を焼却するために要する熱を節約できるということが分かる。
【００６５】
また、第２熱交換器４１０もしくは第３熱交換器４２０を設置しているか否かによる省エネルギー効果は、前記表２からも確認することができる。前記表２を参照すると、実施例１および実施例２の場合、第１蒸発器１００で使用された熱量が、それぞれ４．１０１Ｇｃａｌ／ｈｒおよび４．６９４Ｇｃａｌ／ｈｒと、比較例の第１蒸発器１００で使用された熱量である５．０２３Ｇｃａｌ／ｈｒと比較すると、０．３２９Ｇｃａｌ／ｈｒ〜０．９２２Ｇｃａｌ／ｈｒほどエネルギーを節減したことが分かる。
【図１】
2021528619.tif 000005
【図２】
2021528619.tif 000006
【図３】
2021528619.tif 000007
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
廃水を蒸発器に供給し、蒸発させるステップ（Ｓ１０）と、
前記蒸発器から排出される蒸発器の上部排出ストリームを焼却炉に供給し、焼却するステップ（Ｓ２０）と、
前記焼却炉から排出される第１焼却炉排出ストリームと第２焼却炉排出ストリームを混合し、混合排出ストリームを形成するステップ（Ｓ３０）と、
前記混合排出ストリームと空気ストリームを第１熱交換器で熱交換させるステップ（Ｓ４０）とを含み、
前記第１熱交換器を通過した混合排出ストリームは、第２熱交換器で熱交換された後、大気中に排出される、廃水焼却方法。
【請求項２】
前記廃水は、前記第１熱交換器を通過した混合排出ストリームと、前記第２熱交換器で熱交換される、請求項１に記載の廃水焼却方法。
【請求項３】
前記第２熱交換器で熱交換された廃水は、前記蒸発器に供給される、請求項２に記載の廃水焼却方法。
【請求項４】
前記第２熱交換器を通過した廃水の温度は、前記第２熱交換器を通過する前の廃水の温度よりも高い、請求項２または３に記載の廃水焼却方法。
【請求項５】
前記第２熱交換器を通過した廃水の温度は、５０℃〜１３０℃である、請求項２〜４のいずれかに記載の廃水焼却方法。
【請求項６】
前記第１焼却炉排出ストリームの温度は、前記第２焼却炉排出ストリームの温度よりも高い、請求項１〜５のいずれかに記載の廃水焼却方法。
【請求項７】
前記第１焼却炉排出ストリームは、第３熱交換器を通過した後、前記第２焼却炉排出ストリームと混合されて前記混合排出ストリームを形成する、請求項１〜６のいずれかに記載の廃水焼却方法。
【請求項８】
前記大気中に排出されるストリームの温度は、１２５℃以下である、請求項１〜７のいずれかに記載の廃水焼却方法。
【請求項９】
供給される廃水を蒸発させ、蒸発された上部排出ストリームを焼却炉に供給する蒸発器と、
前記蒸発器から上部排出ストリームが供給され、前記蒸発器の上部排出ストリームを焼却し、第１焼却炉排出ストリームおよび第２焼却炉排出ストリームを第３混合器に供給する焼却炉と、
前記焼却炉から第１焼却炉排出ストリームおよび第２焼却炉排出ストリームが供給され、前記第１焼却炉排出ストリームと第２焼却炉排出ストリームを混合した混合排出ストリームを第１熱交換器に供給する第３混合器と、
前記第３混合器から供給された混合排出ストリームと、供給された空気ストリームを熱交換する第１熱交換器と、
前記供給される第１熱交換器を通過した混合排出ストリームを熱交換し、熱交換した前記混合排出ストリームを大気中に排出する第２熱交換器とを含む、廃水焼却装置。
【請求項１０】
前記第２熱交換器では、廃水と第１熱交換器を通過した混合排出ストリームが熱交換される、請求項９に記載の廃水焼却装置。
【請求項１１】
前記焼却炉から排出された第１焼却炉排出ストリームを熱交換し、熱交換した第１焼却炉排出ストリームを第３混合器に供給する第３熱交換器をさらに含む、請求項９または１０に記載の廃水焼却装置。
【請求項１２】
前記焼却炉は、蓄熱式焼却炉（Ｒｅｇｅｎｅｒａｔｉｏｎ  Ｔｈｅｒｍａｌ  Ｏｘｉｄｉｚｅｒ）である、請求項９〜１１のいずれかに記載の廃水焼却装置。
【手続補正２】
【補正対象書類名】明細書
【補正対象項目名】００４１
【補正方法】変更
【補正の内容】
【００４１】
本発明によると、廃水焼却装置が提供される。前記廃水焼却装置は、供給される廃水を蒸発させ、蒸発した上部排出ストリームを焼却炉に供給する蒸発器と、前記蒸発器から上部排出ストリームが供給され、前記蒸発器の上部排出ストリームを焼却し、第１焼却炉排出ストリームおよび第２焼却炉排出ストリームを第３混合器に供給する焼却炉と、前記焼却炉から第１焼却炉排出ストリームおよび第２焼却炉排出ストリームが供給され、前記第１焼却炉排出ストリームと第２焼却炉排出ストリームを混合した混合排出ストリームを第１熱交換器に供給する第３混合器と、前記第３混合器から供給された混合排出ストリームと、供給された空気ストリームを熱交換する第１熱交換器と、供給される前記第１熱交換器を通過した混合排出ストリームを熱交換し、熱交換した前記混合排出ストリームを大気中に排出する第２熱交換器とを含むことができる。
【手続補正３】
【補正対象書類名】明細書
【補正対象項目名】００４４
【補正方法】変更
【補正の内容】
【００４４】
本発明の一実施形態によると、前記本発明による廃水焼却装置は、下記図１〜図２を参照して説明することができる。例えば、前記廃水焼却装置は、供給される廃水を１次に蒸発させて、水蒸気、有機物および可塑性物質などを含む上部排出ストリームと、スラッジを含む下部排出ストリームとに分離する第１蒸発器１００を含むことができる。また、前記第１蒸発器１００から排出された下部排出ストリームは、第２蒸発器１１０を用いて２次に蒸発させて、上部排出ストリームと、下部排出ストリームとに分離することができる。この際、第２蒸発器１１０下部ストリームは、廃水処理場に移動し、第２蒸発器１１０上部ストリームは、第１蒸発器１００上部ストリームと、第１混合器２００で混合され排出され得る。
【手続補正４】
【補正対象書類名】明細書
【補正対象項目名】００４８
【補正方法】変更
【補正の内容】
【００４８】
前記第１焼却炉排出ストリームは、第３混合器２２０に供給される前に、蒸気発生装置５００を通過しながらスチームを形成した後、第３混合器２２０に供給され得る。前記第３混合器２２０で混合された混合排出ストリームは、第１熱交換器４００に供給され、前記第１熱交換器４００で空気（Ｆｒｅｓｈ  Ａｉｒ）ストリームと熱交換を経た後、第２熱交換器４１０に供給され得、前記第２熱交換器４１０で熱交換された混合排出ストリームは、大気に放出され得る。
【手続補正５】
【補正対象書類名】明細書
【補正対象項目名】００６２
【補正方法】変更
【補正の内容】
【００６２】
具体的には、実施例１および２の廃水焼却工程で、第２熱交換器４１０を設置することで、第１熱交換器４００で熱交換された混合排出ストリームをすぐ大気に放出するのではなく、前記熱交換された混合排出ストリームを第２熱交換器４１０に供給し、廃水ともう一度熱交換させた後、大気に放出する。一方、第２熱交換器４１０を設置していない比較例の廃水焼却工程の場合には、第１熱交換器４００で熱交換された混合排出ストリームがすぐ大気に放出される。したがって、実施例１〜実施例２および比較例の廃水焼却工程で大気に排出されるストリームの温度は、それぞれ１０５．０℃、６９．２℃および１５５．０℃と、実施例１および２の場合、比較例の大気排出温度と比較して著しく低いことが分かる。特に、第２熱交換器４１０とともに第３熱交換器４２０が設置された実施例２の場合、工程内で熱をより効果的に再使用し、大気排出ストリームの温度がより低いことが分かる。つまり、実施例１および２では、第２熱交換器４１０もしくは第３熱交換器４２０を設置することで、５０℃〜８５．８℃に対応する熱をリサイクルして廃水を予熱することで、蒸発器で廃水を加熱するために要する熱量を節約できるということが分かる。
【手続補正６】
【補正対象書類名】明細書
【補正対象項目名】００６３
【補正方法】変更
【補正の内容】
【００６３】
また、廃水は、第１蒸発器１００に供給されるが、前記実施例１および２の廃水焼却工程では、前記廃水を第２熱交換器４１０で予熱した後に第１蒸発器１００に供給する。一方、第２熱交換器４１０を設置していない比較例の場合には、廃水をすぐ第１蒸発器１００に供給する。具体的には、比較例の場合、３０．０℃の廃水をすぐ第１蒸発器１００に供給するが、実施例１および実施例２の場合には、廃水を第２熱交換器４１０で第１熱交換器４００を通過した混合排出ストリームと熱交換させた後に第１蒸発器１００に供給する。この際、実施例１および実施例２の前記第２熱交換器４１０で熱交換された廃水の温度は、それぞれ１００．０℃および６４．２℃と、比較例と比較して著しく高い温度であることが分かる。
【国際調査報告】
2021528619.tif 000008
2021528619.tif 000009
2021528619.tif 000010
2021528619.tif 000011